【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
遊技領域を流下する遊技球の入賞確率を可変可能な可変入賞手段と、該可変入賞手段への入賞を契機として第１図柄当りか否かを判定する第１図柄当り判定手段と、該第１図柄当り判定手段で肯定の場合に開放して遊技球の入賞が許容される入賞手段と、遊技機の稼働データを外部に出力する外部出力手段とを備える遊技機において、
前記遊技領域を流下する遊技球の通過を検出する通過球検出手段と、
前記通過球検出手段の球検出に基づいて、第２図柄当りか否かを判定する第２図柄当り判定手段と、
前記通過球検出手段の球検出を契機として、前記第２図柄当り判定手段での判定結果を示すための第２図柄を変動表示させる第２図柄表示手段と、
前記第２図柄表示手段における第２図柄の確定停止信号を出力する第２図柄確定停止信号出力手段と、
前記第２図柄表示手段での第２図柄の変動開始から確定停止までの時間が通常より短かくなる割合が高くなる変短状態を付与し得る変短状態付与手段と、
変短状態を特定する信号を出力する変短状態特定信号出力手段とを備え、
前記第２図柄当り判定手段で肯定の場合に、前記可変入賞手段は入賞確率が高くなるように可変するよう構成され、
前記第２図柄確定停止信号出力手段および変短状態特定信号出力手段の出力信号を、前記外部出力手段が外部に出力可能に構成された
ことを特徴とする遊技機。
【請求項２】
前記可変入賞手段への遊技球の入賞を契機として複数種類の図柄を変動させる図柄変動演出を実行する表示手段と、
前記第２図柄当り判定手段での判定結果に基づいて第２図柄当りか否かに関する演出を前記表示手段で実行する第２図柄演出実行制御手段とを備える請求項１記載の遊技機。
【請求項３】
遊技機全体を制御する制御手段からの払出信号に基づいて球払出装置を制御して遊技球を払出す払出制御手段を備え、前記第２図柄確定停止信号出力手段および変短状態特定信号出力手段の信号は、払出制御手段を介して外部出力手段に出力されるよう構成された請求項１または２記載の遊技機。
【請求項４】
前記可変入賞手段への遊技球の入賞確率を向上させる入賞率向上状態を付与するか否かを決定する入賞率向上状態決定手段を備えると共に、前記遊技領域に複数の球流下路が設けられ、
前記入賞率向上状態決定手段が肯定の場合に遊技球を特定の球流下路に流下させることで遊技が行われる特定遊技状態と、
前記入賞率向上状態決定手段が否定の場合に遊技球を前記特定の球流下路とは異なる球流下路に流下させることで遊技が行われる通常遊技状態とが設定され、
前記通過球検出手段は、少なくとも特定の球流下路を流下する遊技球を検出するよう構成された請求項１〜３の何れか一項に記載の遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
この発明は、遊技中における稼働状態に関する信号を外部に出力し得る遊技機に関するものである。
【手続補正４】
【補正対象書類名】明細書
【補正対象項目名】０００６
【補正方法】変更
【補正の内容】
【０００６】
すなわち本発明は、従来の技術に係る遊技機に内在する前記問題に鑑み、これらを好適に解決するべく提案されたものであって、稼動状態を精度よく把握し得る遊技機を提供することを目的とする。
【手続補正５】
【補正対象書類名】明細書
【補正対象項目名】０００７
【補正方法】変更
【補正の内容】
【０００７】
前記課題を克服し、所期の目的を達成するため、本願の請求項１に係る発明は、
遊技領域(21)を流下する遊技球の入賞確率を可変可能な可変入賞手段(33a)と、該可変入賞手段(33a)への入賞を契機として第１図柄当りか否かを判定する第１図柄当り判定手段(24a)と、該第１図柄当り判定手段(24a)で肯定の場合に開放して遊技球の入賞が許容される入賞手段と、遊技機の稼働データを外部に出力する外部出力手段(55)とを備える遊技機において、
前記遊技領域(21)を流下する遊技球の通過を検出する通過球検出手段(47)と、
前記通過球検出手段(47)の球検出に基づいて、第２図柄当りか否かを判定する第２図柄当り判定手段(24a)と、
前記通過球検出手段(47)の球検出を契機として、前記第２図柄当り判定手段(24a)での判定結果を示すための第２図柄を変動表示させる第２図柄表示手段(48)と、
前記第２図柄表示手段(48)における第２図柄の確定停止信号を出力する第２図柄確定停止信号出力手段(24a)と、
前記第２図柄表示手段(48)での第２図柄の変動開始から確定停止までの時間が通常より短かくなる割合が高くなる変短状態を付与し得る変短状態付与手段(24a)と、
変短状態を特定する信号を出力する変短状態特定信号出力手段(24a)とを備え、
前記第２図柄当り判定手段(24a)で肯定の場合に、前記可変入賞手段(33a)は入賞確率が高くなるように可変するよう構成され、
前記第２図柄確定停止信号出力手段(24a)および変短状態特定信号出力手段(24a)の出力信号を、前記外部出力手段(55)が外部に出力可能に構成されたことを要旨とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明に係る遊技機によれば、稼働状態を精度よく把握することができる。
【手続補正９】
【補正対象書類名】明細書
【補正対象項目名】００１６
【補正方法】変更
【補正の内容】
【００１６】
次に、本発明に係る遊技機につき、好適な実施例を挙げて、添付図面を参照しながら以下詳細に説明する。なお、遊技機としては、一般的なパチンコ機を例にして説明する。また、以下の説明において、「前」、「後」、「左」、「右」とは、特に断りのない限り、図１に示すようにパチンコ機を前側(遊技者側)から見た状態で指称する。
【手続補正１０】
【補正対象書類名】明細書
【補正対象項目名】０１３７
【補正方法】変更
【補正の内容】
【０１３７】
〔実施例の作用〕
次に、前述のように構成された実施例に係るパチンコ機の作用につき説明する。
【手続補正１１】
【補正対象書類名】明細書
【補正対象項目名】０１５３
【補正方法】変更
【補正の内容】
【０１５３】
１４  図柄表示装置(表示手段)
２１  遊技領域
２１ａ  第１経路(特定の球流下路とは異なる球流下路)
２１ｂ  第２経路(特定の球流下路)
２２  球払出装置
２３  払出制御基板(払出制御手段)
２４ａ  メイン制御ＣＰＵ(制御手段,第１図柄当り判定手段,第２図柄当り判定手段,入賞率向上状態判定手段，普図確定停止信号出力手段,変短状態付与手段,変短状態特定信号出力手段)
３３ａ  第２始動入賞口(可変入賞手段)
４７  通過球検出センサ(通過球検出手段)
４８  普通表示器(第２図柄表示手段)
５１ａ  統括制御ＣＰＵ(第２図柄演出実行制御手段)
５５  外部端子板(外部出力手段)
５６  ホールコンピュータ
５６ａ  計測手段
５６ｂ  異常判定手段